(57)【要約】      （修正有）【課題】空気中に浮遊する粉塵、細菌、ウイルスなどの病原菌、更には花粉などの極めて微細な有害物質や汚染物質の吸入を効果的に防止でき、風邪や花粉症などの予防に役立つマスクであって、高機能且つ高価な素材を用いることなく製造できるマスクを提供する。【解決手段】鼻孔及び口を覆う通気性を有する布またはシートなどからなるマスク本体に、防臭防湿効果とマイナスイオンを発生する炭フエルト、不織布、薄い不織布で挟んだハニカム、ノースガード、マジックテープ（商標登録）、あごに細いゴム、耳掛けゴム紐、両面粘着テープ、ゴムテープ等で構成される。ハニカムは空気即ち呼吸がしやすくするために設け、炭フェルトは防臭、防湿効果を設けたことを特徴とする二重耳掛け付きマスク。【選択図】図１
0003159949.tif 000002
【実用新案登録請求の範囲】
【請求項１】
鼻孔及び口を覆う通気性を有する布またはシートなどからなるマスク本体に、防臭防湿効果とマイナスイオンを発生する炭フエルト、不織布（公序良俗違反につき、不掲載）、薄い不織布で挟んだハニカム、ノースガード、両面粘着テープ等を設けたことを特徴とする二重耳掛け付きマスク。
【請求項２】
マスク本体の耳掛けゴム紐を左右に２本又は１本ゴム紐で２本掛けとすることを特徴とする請求項１記載の二重耳掛け付きマスク。
【請求項３】
マスク本体の外側部に使用する薄い不織布に横にミシン目を入れ、ミシン目で折り曲げ、マスク本体を外したとき、外側からミシン目で切りとり捨てることで、雑菌、ウイルス等の付着した部分を排除できる事を特徴とする請求項１ないし２のいずれか一方に記載の二重耳掛け付きマスク。
【請求項４】
マスク本体の外側部に使用する薄い不織布の補助布又は和紙等を両面粘着テープで貼り付け、マスク本体を外したときに、外して捨てる布を本体に貼付け、使用後取り除いてビニール袋等につつみ捨てることを特徴とする請求項１〜３にいずれか１項に記載の二重耳掛け付きマスク。
【請求項５】
マスク本体の外側部に使用した薄い不織布又は和紙等を後で指で摘んでマスク本体から外してつまんで捨てるとき細菌等が指につかないように、ビニール袋の開口部中心部に三角状の切り込みを設けたことを特徴とする二重耳掛け付きマスク。
【請求項６】
マスク本体の耳掛けゴムに、小さい簡単なバックルを設けたことを特徴とする二重耳掛け付きマスク。
【考案の詳細な説明】
【技術分野】
【０００１】    本考案は、１枚のマスクに左右二本の耳掛けゴム紐を設け、空気中に浮遊する粉塵、細菌、ウイルスなどの病原菌、更には花粉など、汚染物質、有害物質の吸入を効果的に防止でき、防塵、防臭、病気の感染の予防や花粉症の発症予防などに有効なマスクに関する。
【背景技術】
【０００２】  近年、大気の汚染、建築材料や塗料に含まれる有機溶剤、新型ウイルスの発生、スギ、ヒノキなどの花粉の大量発生などにより、空気中に浮遊する、人体に悪影響を及ぼすおそれのある有害物質や汚染物質の量が増大し、シックハウス症候群、サーズ、新型などのインフルエンザ、花粉症などが社会問題となっており、前記有害物質や汚染物質の吸入を防止するため、マスクの必要性、重要性が高まってきている。
現在市販されている一般用のマスクは、鼻孔及び口を覆う本体がガーゼで出来ており、その両側にゴム紐などからなる伸縮性を有する耳掛け部が設けられ、ガーゼマスクといわれるものである。また、本体を不織布などで作成した、使い捨てタイプのマスクも多く市販されている。これらのマスクは、呼吸時に吸気が前記マスク本体のガーゼや不織布を通過する際に、該吸気に含まれる空気中の粉塵、病原菌、新型ウイルス、花粉などの有害物質や汚染物質が前記ガーゼや不織布によりろ過されて、鼻孔や口から吸入されるのを防止するものである。このため、従来は鼻孔及び口を覆う本体のガーゼや不織布の目を出来るだけ小さくして、空気中の有害物質などを通さないようなマスクも市販されている。又、風邪、その他の病気の予防、花粉症の予防などを目的として、マスク本体に水（湿気）や薬剤を含ませておき、湿気や薬剤を吸気とともに吸入するようにしたマスクもある。例えば、マスク本体のガーゼを濡らしておいて吸気を加湿することで風邪などを予防する、ぬれマスクなどの予防あるいは治療を行うものであり、数多く市販されている。
【考案の開示】
【考案が解決しようとする課題】
【０００３】  大気の汚染、建築材料や塗料に含まれる有機溶剤、新型ウイルスの発生、スギ、ヒノキなどの花粉の大量発生などにより、風邪、花粉症、大変困っているアレルギー疾患等が多いために、本考案は、上記のような従来のマスクの問題点に鑑み、空気中に浮遊する粉塵、細菌、風邪ウイルスなどの病原菌など、更には花粉などの極めて微細な有害物質や汚染物質の吸入をマスクに着くのを少しでも防ぎ口内吸入を効果的に防止でき、風邪や花粉症などの予防に役立つマスクであって、高機能且つ高価な素材を用いることなく製造できるマスクが可能になり、上記欠点を解決しようとするものである。
【課題を解決するための手段】
【０００４】  本考案の二重耳掛け付きマスク本体１は、左右の耳掛けゴム紐Ａ２、Ｂ３を設け、ゴム紐を二重にして使い、マスクの片方のゴムを通す上下の穴に中程２ヶ所、又は中心部付近に穴を開け、その穴にゴム紐を通す事に依り１本目の輪と２本の目の輪を作る事が出来、左右の頬どちらにも同じように設け。又、本考案に係るマスクは、鼻孔及び口を覆う通気性を有する布またはシートなどからなるマスク本体内に、上部、下部、横から雑菌、花粉、新型ウイルスが入るのを防ぐために、プラスチック製ハニカム４、炭フエルト５、不織布（公序良俗違反につき、不掲載）６、薄い不織布７、ノースガード８、あごに細いゴム９、両面粘着テープ１０、ゴムテープ１１等で構成される、ハニカム４は空気即ち呼吸がしやすくするために設け、炭フェルト５は防臭、防湿効果と体に良いマイナスイオン発生し、臭気、ホコリ、雑菌を除くために設け、不織布６はハイゼタオルとして衛生用品、医療に使用されている布を設け、薄い不織布７は雑菌、花粉を取るために設け、ノースガード８は鼻でガードし、外からの雑菌が入るのを防ぐ為に設け、アゴの細いゴム９は入れる事であごにフイットさせたいために設け、耳かけゴム紐Ａ２・Ｂ３のどちらか１本で通せば顔の多きさに合わせられ、２本で１本ずつにすればゴムの長さが短くて済む、又、両面粘着テープ１０、ゴムテープ１１を使用した構造に、又二重紐ゴムの装着により横から入るのを防ぐ事で問題点を解決している。
【考案の効果】
【０００７】  上記のように、本考案に係るマスクによれば、空気中に浮遊している有害物質や汚染物質が、マスク本体を構成する通気性を有する布やシートの目より微細であっても、該マスク本体に設けた不織布でハニカムを挟み、防臭防湿効果とマイナスイオンを発生させる炭フエルトを通過する際に、全て吸着されることで、鼻孔や口から前記有害物質が吸入されることを防止でき、且つ前記効果が長時間にわたって維持される。故に、このマスクを着用することで、空気中に浮遊する粉塵、細菌、ウイルスなどの病原菌、花粉などの有害物質や汚染物質を吸気とともに吸入することを効果的に防止でき、風邪などの病気や花粉症などの予防に効果がある。
【考案を実施するための形態】
【０００８】  本考案は、左右のゴム紐を二重にして使う事でマスクの片方のゴムを通す上下の穴に中程２ヶ所、又は中心部付近に穴を開け、その穴にゴム紐を通す事に依り１本目の輪と２本の目の輪を作る事が出来、左右の頬どちらにも同じように設け、又、本考案に係るマスクは、鼻孔及び口を覆う通気性を有する布またはシートなどからなるマスク本体内に、上部、下部、横から雑菌、花粉、新型ウイルスが入るのを防ぐために、プラスチック製ハニカム、炭フエルト、不織布（公序良俗違反につき、不掲載）、薄い不織布７、ノースガード、あごに細いゴム、両面粘着テープ、ゴムテープ等で構成され、ハニカムは空気即ち呼吸がしやすくするために設け、炭フェルトは防臭、防湿効果と体に良いマイナスイオン発生し、臭気、ホコリ、雑菌を除くために設け、不織布はハイビタオルとして衛生用品、医療に使用されている布を設け、薄い不織布は雑菌、花粉を取るために設け、ノースガードは鼻でガードし、外からの雑菌が入るのを防ぐ為に設け、アゴの細いゴムは入れる事であごにフイットさせたいために設け、又、両面粘着テープ１０、ゴムテープ１１、粘着テープ１２も使用した構造にし雑菌、細菌、ウイルス、花粉等を防止する。
【図面の簡単な説明】
【０００９】
【図１】  本考案の正面図
【図２】  本考案の右側面図
【図３】  本考案の平面図
【図４】  本考案の正面詳細図
【図５】  本考案の右側面断面図
【図６】  本考案の正面図一部詳細図
【図７】  本考案の右側面一部詳細図
【図８】  本考案の裏面一部詳細図
【図９】  本考案の正面一部詳細図
【図１０】  本考案の正面一部詳細図
【符号の説明】
【００１０】  １．二重耳掛け付きマスク本体  ２．耳掛けゴム紐Ａ  ３．耳掛けゴム紐Ｂ  ４．ハニカム  ５．炭フエルト  ６．不織布（公序良俗違反につき、不掲載）  ７．薄い不織布  ８．ノースガード  ９．細いゴム  １０．両面粘着テープ  １１．ゴムテープ  １２．粘着テープ  １３．ヒダ  １４．ビニール袋  １５．バックル  １６．補助布・和紙使用  １７．空間のみ
【図１】
0003159949.tif 000003
【図２】
0003159949.tif 000004
【図３】
0003159949.tif 000005
【図４】
0003159949.tif 000006
【図５】
0003159949.tif 000007
【図６】
0003159949.tif 000008
【図７】
0003159949.tif 000009
【図８】
0003159949.tif 000010
【図９】
0003159949.tif 000011
【図１０】
0003159949.tif 000012
【手続補正書】
【提出日】平成22年3月5日(2010.3.5)
【手続補正１】
【補正対象書類名】実用新案登録請求の範囲
【補正対象項目名】請求項１
【補正方法】変更
【補正の内容】
【請求項１】
鼻孔及び口を覆う通気性を有する布またはシートなどからなるマスク本体に、防臭防湿とマイナスイオンを発生する炭フエルト、不織布、薄い不織布で挟んだハニカム、ノースガード、両面粘着テープを設けたことを特徴とする二重耳掛け付きマスク。
【手続補正２】
【補正対象書類名】実用新案登録請求の範囲
【補正対象項目名】請求項３
【補正方法】変更
【補正の内容】
【請求項３】
マスク本体の外側部に使用する薄い不織布にミシン目を入れ、ミシン目で折り曲げ、マスク本体を外したとき、外側からミシン目で切取捨てることで、雑菌、ウイルスの付着した部分を排除できる事を特徴とする請求項１ないし２のいずれか一方に記載の二重耳掛け付きマスク。
【手続補正３】
【補正対象書類名】実用新案登録請求の範囲
【補正対象項目名】請求項４
【補正方法】変更
【補正の内容】
【請求項４】
マスク本体の外側部に使用する薄い不織布の補助布又は和紙を両面接着テープをもちいて貼り付け、マスク本体を外したときに、外して捨てる布を本体に貼り付け、使用後取り除いてビニール袋につつみ捨てる事を特徴とする請求項１〜３のいずれか１項に記載の二重耳掛け付きマスク。
【手続補正４】
【補正対象書類名】実用新案登録請求の範囲
【補正対象項目名】請求項５
【補正方法】変更
【補正の内容】
【請求項５】
マスク本体の外側部に使用した薄い不織布又は和紙を後で指で摘んでマスク本体からはずしてつまんで捨てるとき細菌が指につかないように、ビニール袋の開口部中心部に三角状の切り込みを設けたことを特徴とする請求項１記載の二重耳掛け付きマスク。
【手続補正５】
【補正対象書類名】実用新案登録請求の範囲
【補正対象項目名】請求項６
【補正方法】変更
【補正の内容】
【請求項６】
マスク本体の耳掛けゴムに、小さい簡単なバックルを設けたことを特徴とする請求項１記載の二重耳掛け付きマスク。
【手続補正６】
【補正対象書類名】明細書
【補正対象項目名】０００４
【補正方法】変更
【補正の内容】
【０００４】  本考案の二重耳掛け付きマスク本体１は、左右の耳掛けゴムＡ２、Ｂ３を設け、ゴム紐を二重にして使い、マスクの片方のゴムを通す上下の穴に中程２ケ所、又は中心部付近に穴を開け、その穴にゴム紐を通す事により１本目の輪と２本目の輪を作る事が出来、左右の頬どちらにも同じように設け。又、本考案に係わるマスクは、鼻穴及び口を覆う通気性を有する布またはシートなどからなるマスク本体内に、上部、下部，横から雑菌、花粉、新型ウイルスが入るのを防ぐ為に、プラスチック製ハニカム４、炭フエルト５、不織布６、薄い不織布７、ノースガード８、あごに細いゴム９、両面粘着テープ１０、ゴムテープ１１で構成される、ハニカム４は空気即ち呼吸がしやすくなるために設け、炭フエルト５は防臭、防湿効果と体に良いマイナスイオンが発生し、臭気、ホコリ、雑菌を除くために設け、不織布は衛生用品、医療に使用されている布を設け、薄い不織布７は雑菌、花粉をとるために設け、ノースガード８は鼻でガードし、外からの雑菌が入るのを防ぐ為に設け、アゴの細いゴム９は入れる事でアゴにフイットさせたいために設け、耳掛けゴム紐Ａ２・Ｂ３のどちらか１本で通せば、顔の大きさにあわせられ、２本で１本ずつにすればゴムの長さが短くて済む、又、両面粘着テープ１０、ゴムテープ１１を使用した構造に、又二重紐ゴムの装着により横から入るのを防ぐことで問題点を帰結している。
【手続補正７】
【補正対象書類名】明細書
【補正対象項目名】０００８
【補正方法】変更
【補正の内容】
【０００８】  本考案は、左右のゴム紐を二重にして使う事でマスクの片方のゴムを通す上下の穴に中程２ケ所、又は中心部付近に穴を開け、その穴にゴミ紐を通す事により１本目の輪と２本の輪を作る事が出来、左右の頬どちらにも同じように設け、又、本考案に係わるマスクは、鼻孔及び口を覆う通気性を有する布またはシートなどからなるマスク本体内に、上部、下部、横から雑菌、花粉、新型ウイルスが入るのを防ぐために、プラスチック製ハニカム、炭フエルト、不織布、薄い不織布、ノースガード、あごに細いゴム、両面粘着テープ、ゴムテープで構成され、ハニカムは空気即ち呼吸がしやすきするために設け、炭フエルトは防臭、防湿効果と体に良いマイナスイオンを発生し、臭気、ホコリ、雑菌を除く為に設け、不織布は衛生用品、医療に使用されている布を外からの雑菌が入るのを防ぐ為に設け、アゴの細いムは入れる事であごにフイットさせたいために設け、又、両面粘着テープ、ゴムテープ、粘着テープも使用した構造にし雑菌、細菌、ウイルス、花粉を防止する。
【手続補正８】
【補正対象書類名】明細書
【補正対象項目名】００１０
【補正方法】変更
【補正の内容】
【００１０】  １．  二重耳掛け付きマスク本体
２．  耳掛けゴム紐Ａ
３．  耳掛けゴム紐Ｂ
４．  ハニカム
５．  炭フエルト
６．  不織布
７．  薄い不織布
８．  ノースガード
９．  細いゴム
１０．  両面粘着テープ
１１．  ゴムテープ
１２．  粘着テープ
１３．  ヒダ
１４．  ビニール袋
１５．  バックル